(57)【特許請求の範囲】
【請求項１】
一方のレンズ面と接触しないように、フランジ部の一方の端面を支持する支持部を有するレンズ収納部を複数備えた長尺状のキャリアテープと、
前記レンズ収納部に収納されたレンズの他方のレンズ面と接触しないように、前記レンズ収納部と反対側に突出するレンズ面逃げ部、前記フランジ部を前記支持部とともに挟むように、前記フランジ部の他方の端面と当接される当接部を有し、前記キャリアテープに貼着される長尺状のカバーテープと、
を有することを特徴とするレンズ収納容器。
【請求項２】
一方のレンズ面と接触しないように、フランジ部の一方の端面を支持する支持部を有するレンズ収納部を複数備えた長尺状のキャリアテープと、
前記レンズ収納部に収納されたレンズの前記フランジ部を前記支持部とともに挟むように、前記フランジ部の他方の端面と当接される当接部、他方のレンズ面に対向する部分に、前記他方のレンズ面と接触しないように前記他方のレンズ面が進入する穴が開設された開口部を有し、前記キャリアテープに貼着されるカバーテープと、
を有することを特徴とするレンズ収納容器。
【請求項３】
前記カバーテープ上に、前記開口部を覆う第２のカバーテープを設けたことを特徴とする請求項２記載のレンズ収納容器。
【請求項４】
前記キャリアテープと前記カバーテープとの貼着は、間歇的であることを特徴とする請求項１乃至３のいずれかに記載のレンズ収納容器。
【請求項５】
前記カバーテープの前記キャリアテープとの貼着部以外の箇所にスリットを形成し、
該スリットを巻回したときに生じる前記キャリアテープと前記カバーテープとの内外径差を吸収する内外径差吸収手段としたことを特徴とする請求項１乃至４のいずれかに記載のレンズ収納容器。
【請求項６】
前記カバーテープの前記キャリアテープとの貼着部以外の箇所にギャザーを形成し、
該ギャザーを巻回したときに生じる前記キャリアテープと前記カバーテープとの内外径差を吸収する内外径差吸収手段としたことを特徴とする請求項１乃至４のいずれかに記載のレンズ収納容器。
【請求項７】
一方のレンズ面と接触しないように前記レンズのフランジ部の一方の端面を支持する支持部が形成され、開口側に突出し、内壁、外壁からなる２重壁構造の円筒状のレンズ収納部を複数有する長尺状のキャリアテープと、
前記各レンズ収納部に取り付けられ、前記各レンズ収納部の開口を覆うカバー部材とからなり、
前記各レンズ収納部の内壁には、前記レンズのフランジ部に係脱可能な可撓性のスナップフィット部を設けて、前記支持部とともに前記レンズのフランジ部の端面を挟むことを特徴とするレンズ収納容器。
【請求項８】
前記レンズ収納部の外壁と前記カバー部材とには、係脱可能な係合部を設けたことを特徴とする請求項７記載のレンズ収納容器。
【請求項９】
前記スナップフィット部は、前記レンズ収納部の開口と略同じ位置まで延出する自由端を有し、
前記カバー部材は、前記スナップフィット部の自由端に当接することを特徴とする請求項７又は８記載のレンズ収納容器。
【請求項１０】
前記レンズは、プラスチックレンズであることを特徴とする請求項１乃至９のいずれかに記載のレンズ収納容器。
【請求項１１】
前記レンズは、少なくとも一方のレンズ面が前記フランジ部の端面よりも突出していることを特徴とする請求項１乃至１０いずれかに記載のレンズ収納容器。
【請求項１２】
前記レンズは、前記フランジの端面よりも突出したレンズ面が前記レンズ収納部の開口側となるように収納されることを特徴とする請求項１乃至１１のいずれかに記載のレンズ収納容器。
【発明の詳細な説明】
【０００１】
【発明の属する技術分野】
本発明は、レンズ本体の周縁にフランジ部が形成されたレンズを収納するレンズ収納容器に関する。
【０００２】
【従来の技術】
光ディスク装置のピックアップ用レンズは、筒状の容器内に収納され、組付け装置に供されている。
【０００３】
【発明が解決しようとする課題】
しかし、近年、光ディスク装置の高精度化、コンパクト化に伴い、光ピックアップに用いるレンズの肉厚、外観形状も著しく小さくなってきている。
【０００４】
よって、従来用いていたレンズ収納容器では、以下のような問題点がある。
(1) レンズのフランジ部が小さくなり、レンズどうしの重なり、内部の案内レールからの離脱等が発生し、筒からレンズをスムーズに取り出せない。
【０００５】
これを解消するために、例えば、細い棒や圧縮空気を筒の一方から入れると、レンズのレンズ面や他の部分を傷つけたり、レンズどうしの衝突により、レンズを破損させる別の問題点が生じる。
(2) 筒内をレンズが自由に移動するが、レンズと筒との摩擦による静電気が発生し、筒からレンズがスムーズに取り出せない場合がある。この現象は、レンズが小さいほど顕著に現れる。
【０００６】
これを解消するために、筒内に静電気の発生を防止する静電防止剤を塗布することも考えられるが、静電防止剤の効果の劣化が早く、また、静電防止剤の塗膜の厚さ管理が難しいという別の問題点がある。
(3) 複数のレンズが１つの筒内に収納されているので、筒内に塵埃等が侵入すると、多くのレンズが汚染される。
【０００７】
本発明は、上記問題点に鑑みてなされたもので、その第１の課題は、レンズの搬送異常がなくなるレンズ収納容器を提供することにある。
【０００８】
第２の課題は、一度に多くのレンズが劣悪な環境にされされることがなくなるレンズ収納容器を提供することにある。
【０００９】
【課題を解決するための手段】
上記課題を解決する本発明は、以下の発明によって解決される。
【００１０】
請求項１記載の発明は、一方のレンズ面と接触しないように、フランジ部の一方の端面を支持する支持部を有するレンズ収納部を複数備えた長尺状のキャリアテープと、前記レンズ収納部に収納されたレンズの他方のレンズ面と接触しないように、前記レンズ収納部と反対側に突出するレンズ面逃げ部、前記フランジ部を前記支持部とともに挟むように、前記フランジ部の他方の端面と当接される当接部を有し、前記キャリアテープに貼着される長尺状のカバーテープと、を有することを特徴とするレンズ収納容器である。
【００１１】
レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【００１２】
前記キャリアテープがフランジ部の一方の端面を支持する支持部を有し、前記カバーテープが前記レンズのフランジ部を前記支持部とともに挟むように、前記フランジ部の他方の端面と当接される当接部を有することにより、レンズの光軸方向の移動が拘束され、レンズ面が他の部材にあたり、傷つくこともなくなる。
【００１３】
カバーテープが前記レンズ収納部を覆うようにすれば、一度に多くのレンズが劣悪な環境にされされることがなくなる。
【００１４】
カバーテープに、前記レンズのレンズ面と空間を介して対抗するレンズ面逃げ部を設けたことにより、レンズのレンズ面が傷つくこともなくなる。
【００１５】
尚、フランジ部とは、図２に示されるようにレンズ本体とは形状が明確に異なるのみならず、光学的に使用可能な部分であっても実際に装置等に組み込んだ際には、光学的に使用されない部分のことも本発明ではフランジ部という。
【００２４】
請求項２記載の発明は、一方のレンズ面と接触しないように、フランジ部の一方の端面を支持する支持部を有するレンズ収納部を複数備えた長尺状のキャリアテープと、前記レンズ収納部に収納されたレンズの前記フランジ部を前記支持部とともに挟むように、前記フランジ部の他方の端面と当接される当接部、他方のレンズ面に対向する部分に、前記他方のレンズ面と接触しないように前記他方のレンズ面が進入する穴が開設された開口部を有し、前記キャリアテープに貼着されるカバーテープと、を有することを特徴とするレンズ収納容器である。
【００２５】
レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【００２６】
前記キャリアテープがフランジ部の一方の端面を支持する支持部を有し、カバーテープがレンズ収納部に収納されたレンズの前記フランジ部を前記支持部とともに挟むように、前記フランジ部の他方の端面と当接される当接部を有することにより、レンズの光軸方向の移動が拘束され、レンズ面が他の部材にあたり、傷つくこともなくなる。
【００２７】
さらに、請求項２記載の発明において、レンズ面の保護する観点から請求項３記載の発明のように、前記カバーテープ上に、前記開口部を覆う第２のカバーテープを設けることも好ましい。
【００２８】
請求項４記載の発明は、請求項１乃至３のいずれかに記載の発明の前記キャリアテープと前記カバーテープとの貼着は、間歇的であることを特徴とするレンズ収納容器である。
【００２９】
前記キャリアテープと前記カバーテープとの貼着は、間歇的であることにより、レンズ収納部への塵埃の侵入を防止しつつ、レンズ収納部と外気との環境を略同じとすることができ、カバーテープをキャリアテープから剥離するときの引き剥がし力を弱くすることができる。
【００３０】
尚、貼着方法としては、熱融着やホットメルト等があるが限定するものではない。
【００３３】
請求項５記載の発明は、請求項１乃至４のいずれかに記載の発明において、前記カバーテープの前記キャリアテープとの貼着部以外の箇所にスリットを形成し、該スリットを巻回したときに生じる前記キャリアテープと前記カバーテープとの内外径差を吸収する内外径差吸収手段としたことを特徴とするレンズ収納容器である。
【００３４】
前記キャリアテープと前記カバーテープとの内外径差を吸収する内外径差吸収手段を設けたことにより、キャリアテープをリール等に巻回することが可能となり、レンズ組付け装置への装填が容易となる。
【００３７】
スリットを設けた部分が、カバーテープの幅方向に伸縮することにより、巻回したときに生じる前記キャリアテープと前記カバーテープとの内外径差を吸収する。
【００３８】
請求項６記載の発明は、請求項１乃至４のいずれかに記載の発明において、前記カバーテープの前記キャリアテープとの貼着部以外の箇所にギャザーを形成し、該ギャザーを巻回したときに生じる前記キャリアテープと前記カバーテープとの内外径差を吸収する内外径差吸収手段としたことを特徴とするレンズ収納容器である。
前記キャリアテープと前記カバーテープとの内外径差を吸収する内外径差吸収手段を設けたことにより、キャリアテープをリール等に巻回することが可能となり、レンズ組付け装置への装填が容易となる。
【００３９】
ギャザーを設けた部分が、カバーテープの幅方向に伸縮することにより、巻回したときに生じる前記キャリアテープと前記カバーテープとの内外径差を吸収する。
【００４０】
請求項７記載の発明は、一方のレンズ面と接触しないように前記レンズのフランジ部の一方の端面を支持する支持部が形成され、開口側に突出し、内壁、外壁からなる２重壁構造の円筒状のレンズ収納部を複数有する長尺状のキャリアテープと、前記各レンズ収納部に取り付けられ、前記各レンズ収納部の開口を覆うカバー部材とからなり、前記各レンズ収納部の内壁には、前記レンズのフランジ部に係脱可能な可撓性のスナップフィット部を設けて、前記支持部とともに前記レンズのフランジ部の端面を挟むことを特徴とするレンズ収納容器である。
【００４１】
レンズを収納するレンズ収納部を複数有する長尺状のキャリアテープと、前記各レンズ収納部に取り付けられ、前記各レンズ収納部の開口を覆うカバー部材とから構成したことにより、すなわち、テープ上にレンズを個別に収納することにより、レンズの搬送異常をなくすことができる。
【００４２】
又、前記各レンズ収納部の内壁には、前記レンズのフランジ部に係脱可能な可撓性のスナップフィット部を設けて、前記支持部とともに前記レンズのフランジ部の端面を挟むことにより、レンズの光軸方向の移動を拘束し、レンズ面が他の部材にあたり、傷つくこともなくなる。
【００４３】
さらに、各レンズ収納部に個別のカバー部材を取り付けたことにより、キャリアテープを巻回させた場合も、キャリアテープとカバー部材との内外径差が発生しない。
【００４４】
ここで、カバー部材のキャリアテープのレンズ収納部への取付の例としては、請求項８記載の発明のように、前記レンズ収納部の外壁と前記カバー部材とには、係脱可能な係合部を設けたことを特徴とするレンズ収納容器がある。
【００４５】
尚、カバー部材のキャリアテープのレンズ収納部への取付は、上記発明に限定するものではなく、溶着やホットメルトであってもかまわない。
【００４６】
請求項９記載の発明は、請求項７又は８記載の発明の前記スナップフィット部は、前記レンズ収納部の開口と略同じ位置まで延出する自由端を有し、前記カバー部材は、前記スナップフィット部の自由端に当接することを特徴とするレンズ収納容器である。
【００４７】
前記カバー部材は、前記スナップフィット部の自由端に当接することにより、レンズのフランジ部に係合したスナップフィット部の係合力を保持できる。
【００５２】
請求項１乃至９記載の発明のレンズ収納装置に収納される好適なレンズとしては、請求項１０記載の発明のように、乱暴に扱うと傷つきやすいプラスチックレンズがある。
【００５３】
又、請求項１乃至１０記載の発明のレンズ収納装置に収納される好適なレンズとしては、請求項１１記載の発明のように、乱暴に扱うと傷つきやすい、少なくとも一方のレンズ面が前記フランジ部の端面よりも突出しているレンズがある。
【００５４】
さらに、これらのレンズのレンズ面を保護する観点から、請求項１２記載の発明のように、前記フランジの端面よりも突出したレンズ面が前記レンズ収納部の開口側となるように収納されることが望ましい。
【００５５】
尚、プラスチックレンズに限定するものではなく、ガラスレンズにも本発明の収納容器を適用できることは言うまでもない。
【００５６】
【発明の実施の形態】
次に図面を用いて本発明の実施の形態例を説明する。
【００５７】
(1) 第１の実施の形態例
第１の実施の形態例を説明する平面図である図１及び図１の切断線A-Aにおける断面図である図２を用いて説明する。
【００５８】
尚、本発明の各実施の形態例で説明するレンズ１は、レンズ本体３と、レンズ本体３の周縁に形成されたフランジ部５とから構成され、少なくとも一方のレンズ面、本発明の各実施の形態例では、レンズ面７がフランジ部５の端面９より突出しているものを対象としている。
【００５９】
長尺のキャリアテープ１１には、複数の円筒状のレンズ収納部１３が熱成形法等の手法により形成されている。
【００６０】
このレンズ収納部１３には、開口１４側がレンズ１のフランジ部５の端面９より突出したレンズ面７となるようにレンズ１が収納され、他方のレンズ面７′と接触しないように、開口１４と反対側のレンズ１のフランジ部５の端面９′を支持する支持部１５が形成されている。
【００６１】
尚、キャリアテープのレンズ収納部の支持部１５から開口１４までの深さ(H)をレンズ１のフランジ部の厚さ(h)と略同じとなるように設定した。
【００６２】
キャリアテープ１１上には、長尺状のカバーテープ２１が積層されている。
【００６３】
このカバーテープ２１は、レンズ１のフランジ部５に当接し、支持部１５とともにレンズ１のフランジ部５の端面を挟む当接部２３と、レンズ１のレンズ面７と接触しないように、レンズ収納部１３と反対側に突出する球面状のレンズ面逃げ部２５とが熱成形法等の手法により形成されている。
【００６４】
キャリアテープ１１とカバーテープ２１は、熱融着法により貼着されるが、図１に示す貼着部３１のように貼着箇所を間歇的としている。
【００６５】
そして、カバーテープ２１のキャリアテープ１１との貼着部３１以外の箇所には、巻回したときに生じるキャリアテープ１１とカバーテープ２１との内外径差を吸収する内外径差吸収手段として、幅方向に延出するスリット３３が形成されている。
【００６６】
このような構成では、カバーテープ２１をキャリアテープ１１上に積層する際に、カバーテープ２１のレンズ面逃げ部２５と、キャリアテープ１１のレンズ収納部１３とが一致するようにしなければならない。
【００６７】
このため、キャリアテープ１１には、レンズ収納部１３を介して両サイドに芯出し用の穴１２を形成している。
【００６８】
上記構成によれば、以下のような効果を得ることができる。
【００６９】
▲１▼レンズ１を収納するレンズ収納部１３を複数有する長尺状のキャリアテープ１１と、キャリアテープ１１に積層貼着され、レンズ収納部１３の開口を覆う長尺状のカバーテープ２１とから構成したことにより、すなわち、キャリアテープ１１上にレンズ１を個別に収納することにより、レンズ１の搬送異常をなくすことができる。
【００７０】
▲２▼キャリアテープ１１のレンズ収納部１３の支持部１５から開口１４までの深さ(H)をレンズ１のフランジ部５の厚さ(h)と略同じとし、カバーテープ２１に、レンズ１のフランジ部５に当接する当接部２３を設け、支持部１５とともにレンズ１のフランジ部５の端面９,９′を挟み、レンズ１の光軸方向の移動を拘束することにより、レンズ面７が他の部材にあたり、傷つくこともなくなる。
【００７１】
▲３▼キャリアテープ１１とカバーテープ２１との貼着は、間歇的であることにより、レンズ収納部１３への塵埃の侵入を防止しつつ、レンズ収納部１３と外気との環境を略同じとすることができ、さらに、カバーテープ２１をキャリアテープ１１から剥離するときの引き剥がし力を弱くすることができる。
【００７２】
▲４▼カバーテープ２１に内外径差吸収手段としてのスリット３３を設けたことにより、キャリアテープ１１をリール等に巻回することが可能となり、レンズ組付け装置への装填が容易となる。
【００７３】
尚、本発明は、上記実施の形態例に限定するものではない。上記実施の形態例では、カバーテープ２１はキャリアテープ１１のレンズ収納部１３の開口１４を覆うようにしたが、清浄な環境のもとでハンドリングする場合は、レンズ面逃げ部２５は必ずしも必要ではない。
【００７４】
また、キャリアテープ１１とカバーテープ２１との貼着する手段としては、熱溶融法のほかにホットメルトであってもよい。
【００７５】
さらに、内外径差吸収手段としてスリット３３を設けたが、図３に示すようにギャザー３４を設けてもよい。
【００７６】
(2) 第２の実施の形態例
第２の実施の形態例を説明する平面図である図４及び図４の切断線B-Bにおける断面図である図５を用いて説明する。
【００７７】
尚、第１の実施の形態例と同一部分には、同一符号を付し、重複した説明は省略する。
【００７８】
長尺のキャリアテープ２１１には、複数の円筒状のレンズ収納部２１３が熱成形法等の手法により形成されている。
【００７９】
このレンズ収納部２１３には、開口２１４側がレンズ１のフランジ部５の端面９より突出したレンズ面７となるようにレンズ１が収納され、他方のレンズ面７′と接触しないように、開口２１４と反対側のレンズ１のフランジ部５の端面９′を支持する支持部２１５が形成されている。
【００８０】
尚、キャリアテープのレンズ収納部の支持部２１５から開口２１４までの深さ(H)をレンズ１のレンズ面７が開口２１４より突出しない深さに設定した。
【００８１】
キャリアテープ２１１上には、長尺状のカバーテープ２２１が積層されている。
【００８２】
このカバーテープ２２１は、レンズ収納部２１３方向に突出し、レンズ１のフランジ部５に当接し、支持部２１５とともにレンズ１のフランジ部５の端面を挟む複数(本実施例では２つ)凹状のレンズ押さえ部２２３が熱成形法等の手法により形成されている。
【００８３】
上記構成によれば、以下のような効果を得ることができる。
【００８４】
▲１▼レンズ１を収納するレンズ収納部２１３を複数有する長尺状のキャリアテープ２１１と、キャリアテープ２１１に積層貼着され、レンズ収納部２１３の開口を覆う長尺状のカバーテープ２２１とから構成したことにより、すなわち、キャリアテープ２１１上にレンズ１を個別に収納することにより、レンズ１の搬送異常をなくすことができる。
【００８５】
▲２▼キャリアテープ２１１のレンズ収納部２１３の支持部２１５から開口２１４までの深さ(H)をレンズ１のフランジ部５の厚さ(h)より深くし、カバーテープ２２１に、レンズ１のフランジ部５に当接するレンズ押さえ部２２３を設け、支持部２１５とともにレンズ１のフランジ部５の端面９,９′を挟み、レンズ１の光軸方向の移動を拘束することにより、レンズ面７が他の部材にあたり、傷つくこともなくなる。
【００８６】
▲３▼キャリアテープ２１１とカバーテープ２２１との貼着は、間歇的であることにより、レンズ収納部２１３への塵埃の侵入を防止しつつ、レンズ収納部２１３と外気との環境を略同じとすることができ、さらに、カバーテープ２２１をキャリアテープ２１１から剥離するときの引き剥がし力を弱くすることができる。
【００８７】
▲４▼カバーテープ２１に内外径差吸収手段としてのスリット３３を設けたことにより、キャリアテープ２１１をリール等に巻回することが可能となり、レンズ組付け装置への装填が容易となる。
【００８８】
尚、本発明は、上記実施の形態例に限定するものではない。上記実施の形態例では、カバーテープ２２１はキャリアテープ２１１のレンズ収納部２１３の開口２１４の全面を覆うようにしたが、清浄な環境のもとでハンドリングする場合は、開口２１４の全面を覆う必要はない。
【００８９】
また、キャリアテープ１１とカバーテープ２１との貼着する手段としては、熱溶融法のほかにホットメルトであってもよい。
【００９０】
さらに、内外径差吸収手段としてスリット３３を設けたが、第１の実施の形態例と同様にギャザーを設けてもよい。
【００９１】
また、カバーテープ２２１にレンズ押さえ部２２３を２箇所設けたが、レンズ１のフランジ部５全周を押さえる連続的な凹状のレンズ押さえ部を形成してもよい。
【００９２】
(3) 第３の実施の形態例
第３の実施の形態例を説明する平面図である図６及び図６の切断線C-Cにおける断面図である図７を用いて説明する。
【００９３】
尚、第１の実施の形態例と同一部分には、同一符号を付し、重複した説明は省略する。
【００９４】
長尺のキャリアテープ３１１には、複数の円筒状のレンズ収納部３１３が熱成形法等の手法により形成されている。
【００９５】
このレンズ収納部３１３には、開口３１４側がレンズ１のフランジ部５の端面９より突出したレンズ面７となるようにレンズ１が収納され、他方のレンズ面７′と当接しないように、開口３１４と反対側のレンズ１のフランジ部５の端面９′を支持する支持部３１５が形成されている。
【００９６】
尚、キャリアテープのレンズ収納部の支持部３１５から開口３１４までの深さ(H)をレンズ１のレンズ面７が開口３１４より突出しない深さに設定した。
【００９７】
レンズ収納部３１３の円筒面には、レンズ１のフランジ部５を支持部３１５とともに挟むように、レンズ１のフランジ部５の端面９に係脱可能な可撓性のスナップフィット部３１６が２つ形成されている。
【００９８】
このスナップフィット部３１６は、レンズ収納部３１３の開口３１４と略同じ位置まで延出する自由端３１６ａを有している。
【００９９】
キャリアテープ３１１上には、長尺状のカバーテープ３２１が積層されている。
【０１００】
そして、カバーテープ３２１がキャリアテープ３１１上に積層された後に、熱融着法により貼着されるが、図に示すように、スナップフィット部３１６の自由端３１６ａも貼着するようにした。
【０１０１】
上記構成によれば、以下のような効果を得ることができる。
【０１０２】
▲１▼レンズ１を収納するレンズ収納部３１３を複数有する長尺状のキャリアテープ３１１と、キャリアテープ３１１に積層貼着され、レンズ収納部３１３の開口を覆う長尺状のカバーテープ３２１とから構成したことにより、すなわち、キャリアテープ３１１上にレンズ１を個別に収納することにより、レンズ１の搬送異常をなくすことができる。
【０１０３】
▲２▼キャリアテープ３１１のレンズ収納部３１３の支持部３１５から開口３１４までの深さ(H)をレンズ１のフランジ部５の厚さ(h)より深くし、キャリアテープ３１１のレンズ収納部３１３の円筒面にレンズ１のフランジ部５に係脱可能な可撓性のスナップフィット部３１６を設けたことにより、支持部３１５とともにレンズ１のフランジ部５の端面９,９′を挟み、レンズ１の光軸方向の移動を拘束することにより、レンズ面７が他の部材にあたり、傷つくこともなくなる。
【０１０４】
▲３▼キャリアテープ３１１とカバーテープ３２１との貼着は、間歇的であることにより、レンズ収納部３１３への塵埃の侵入を防止しつつ、レンズ収納部３１３と外気との環境を略同じとすることができ、さらに、カバーテープ３２１をキャリアテープ３１１から剥離するときの引き剥がし力を弱くすることができる。
【０１０５】
▲４▼カバーテープ３２１に内外径差吸収手段としてのスリット３３を設けたことにより、キャリアテープ３１１をリール等に巻回することが可能となり、レンズ組付け装置への装填が容易となる。
【０１０６】
▲５▼スナップフィット部３１６は、レンズ収納部３１３の開口３１４と略同じ位置まで延出する自由端３１６ａを有し、自由端３１６ａとカバーテープ３２１とが貼着されることにより、レンズ１のフランジ部５に係合したスナップフィット部３１６の係合力を保持できる。
【０１０７】
▲６▼レンズ組付け装置で、レンズ収納部３１３からレンズ１を取り出す場合、スナップフィット部３１６の自由端３１６ａを図７において矢印D方向に押して、スナップフィット部３１６のレンズ１への係合を解除し、さらに、レンズ１のフランジ部５の周縁を挟むことにより、容易にレンズ１を取り出すことができる。
【０１０８】
尚、本発明は、上記実施の形態例に限定するものではない。上記実施の形態例では、カバーテープ３２１はキャリアテープ３１１のレンズ収納部３１３の開口３１４の全面を覆うようにしたが、清浄な環境のもとでハンドリングする場合は、開口２１４の全面を覆う必要はない。
【０１０９】
また、キャリアテープ３１１とカバーテープ３２１との貼着する手段としては、熱溶融法のほかにホットメルトであってもよい。
【０１１０】
さらに、内外径差吸収手段としてスリット３３を設けたが、第１の実施の形態例と同様にギャザーを設けてもよい。
【０１１１】
又、本実施の形態例では、レンズの支持はキャリアテープ３１１で行うことができるので、カバーテープ３２１に塩化ビニル、PPフイルム等の伸縮性を有する材料を用いることで、スリット３３やギャザーは不要となる。
【０１１２】
(4) 第４の実施の形態例
第４の実施の形態例を説明する平面図である図８及び図８の切断線E-Eにおける断面図である図９を用いて説明する。
【０１１３】
尚、第１の実施の形態例と同一部分には、同一符号を付し、重複した説明は省略する。
【０１１４】
長尺のキャリアテープ４１１には、複数の円筒状のレンズ収納部４１３が熱成形法等の手法により形成されている。
【０１１５】
このレンズ収納部４１３には、開口４１４側がレンズ１のフランジ部５の端面９より突出したレンズ面７となるようにレンズ１が収納され、他方のレンズ面７′と接触しないように、開口４１４と反対側のレンズ１のフランジ部５の端面９′を支持する支持部４１５が形成されている。
【０１１６】
尚、キャリアテープのレンズ収納部の支持部４１５から開口４１４までの深さ(H)をレンズ１のフランジ部の厚さ(h)と略同じとした。
【０１１７】
キャリアテープ４１１上には、長尺状のカバーテープ４２１が積層されている。
【０１１８】
このカバーテープ４２１には、レンズ１のフランジ部５に当接する当接部４２２と、レンズ１のレンズ面と対向する開口部４２３が開設されている。
【０１１９】
尚、カバーテープ４２１の厚さ(h′)をレンズ１のレンズ面７が穴４２３の開口より突出しない厚さとした。
【０１２０】
さらに、カバーテープ４２１上に、第２のカバーテープ４５１を積層し、カバーテープ４２１の開口部４２３を覆うようした。
【０１２１】
上記構成によれば、以下のような効果を得ることができる。
【０１２２】
▲１▼レンズ１を収納するレンズ収納部４１３を複数有する長尺状のキャリアテープ４１１と、キャリアテープ４１１に積層貼着され、レンズ収納部４１３の開口を覆う長尺状の第２のカバーテープ４５１とから構成したことにより、すなわち、キャリアテープ４１１上にレンズ１を個別に収納することにより、レンズ１の搬送異常をなくすことができる。
【０１２３】
▲２▼キャリアテープ４１１のレンズ収納部４１３の支持部４１５から開口４１４までの深さ(H)をレンズ１のフランジ部５の厚さ(h)と略同じとし、カバーテープ４２１の当接部４２２がレンズ１のフランジ部５に当接し、支持部４１５とともにレンズ１のフランジ部５の端面９,９′を挟み、レンズ１の光軸方向の移動を拘束することにより、レンズ面７が他の部材にあたり、傷つくこともなくなる。
【０１２４】
▲３▼カバーテープ４２１及び第２のカバーテープ４５１に内外径差吸収手段としてのスリット３３を設けたことにより、キャリアテープ４１１をリール等に巻回することが可能となり、レンズ組付け装置への装填が容易となる。
【０１２５】
▲４▼カバーテープ４２１上に、開口部４２３を覆う第２のカバーテープ４５１を設けたことにより、レンズ１のレンズ面７の保護することができる。
【０１２６】
尚、本発明は、上記実施の形態例に限定するものではない。上記実施の形態例では、第２のカバーテープ４５１を設けたが、清浄な環境のもとでハンドリングする場合は、不要である。
【０１２７】
この場合、カバーテープ４２１の厚さ(h′)をレンズ１のレンズ面７が開口部４２３より突出しない厚さとしたことにより、キャリアテープ４１１を巻回してもレンズ面が傷つくこともなくなる。
【０１２８】
また、キャリアテープ４１１とカバーテープ４２１との貼着、カバーテープ４２１と第２のカバーテープ４５１との貼着手段としては、熱溶融法のほかにホットメルトであってもよい。
【０１２９】
さらに、内外径差吸収手段としてスリット３３を設けたが、第１の実施の形態例と同様にギャザーを設けてもよい。
【０１３０】
(5) 第５の実施の形態例
第５の実施の形態例を説明する平面図である図１０及び図１０の切断線F-Fにおける断面図である図１１を用いて説明する。
【０１３１】
尚、第１の実施の形態例と同一部分には、同一符号を付し、重複した説明は省略する。
【０１３２】
長尺のキャリアテープ５１１には、開口５１４側がフランジ部５の端面より突出したレンズ面７となるようにレンズ１を収納する複数の円筒状のレンズ収納部５１３が熱成形法等の手法により形成されている。
【０１３３】
このレンズ収納部５１３には、レンズ面７′と接触しないように、開口５１４と反対側のレンズ１のフランジ部５の端面９′を当接する支持部４１５が形成されている。
【０１３４】
又、レンズ収納部５１３は開口５１４側に突出する円筒状で、内壁５１２、外壁５１７からなる２重壁構造となっている。
【０１３５】
各レンズ収納部５１３の内壁５１２には、レンズ１のフランジ部５に係脱可能な可撓性のスナップフィット部５１６が形成されている。
【０１３６】
このスナップフィット部５１６は、レンズ収納部５１３の開口５１４と略同じ位置まで延出する自由端５１６ａを有している。
【０１３７】
各レンズ収納部５１３には、各レンズ収納部５１３の開口５１４を覆うとともに、スナップフィット部５１６の自由端５１６ａに当接するカバー部材５２１が取り付けられる。
【０１３８】
各レンズ収納部５１３とカバー部材５２１との取付構造は、図に示すように、カバー部材５２１の内壁面に凸部５２３を４箇所設け、レンズ収納部５１３の外壁に凸部５２３が係合可能な凹部５２７を４箇所設けている。
【０１３９】
上記構成によれば、以下のような効果を得ることができる。
【０１４０】
▲１▼レンズ１を収納するレンズ収納部５１３を複数有する長尺状のキャリアテープ５１１と、各レンズ収納部５１３に取り付けられ、各レンズ収納部５１３の開口５１４を覆うカバー部材５２１とから構成したことにより、すなわち、すなわち、キャリアテープ５１１上にレンズ１を個別に収納することにより、レンズの搬送異常をなくすことができる。
【０１４１】
▲２▼各レンズ収納部５１３の内壁５１２には、レンズ１のフランジ部５に係脱可能な可撓性のスナップフィット部５１６を設けて、支持部５１５とともにレンズ１のフランジ部５の端面９,９′を挟むことにより、レンズ１の光軸方向の移動を拘束し、レンズ面７が他の部材にあたり、傷つくこともなくなる。
【０１４２】
▲３▼各レンズ収納部５１３に個別のカバー部材５２１を取り付けたことにより、キャリアテープ５１１を巻回させた場合も、キャリアテープ５１１とカバー部材５２１との内外径差が発生しない。
【０１４３】
▲４▼カバー部材５２１は、スナップフィット部５１６の自由端５１６ａに当接することにより、レンズ１のフランジ部５に係合したスナップフィット部５１６の係合力を保持できる。
【０１４４】
尚、本発明は、上記実施の形態例に限定するものではない。上記構成では、カバー部材５２１のキャリアテープ５１１のレンズ収納部５１３への取付は、溶着やホットメルトであってもかまわない。
【０１４５】
(6) 第６の実施の形態例
第６の実施の形態例を説明する平面図である図１２及び図１２の切断線G-Gにおける断面図である図１２を用いて説明する。
【０１４６】
尚、第１の実施の形態例と同一部分には、同一符号を付し、重複した説明は省略する。
【０１４７】
射出成形法等の手法で作られるレンズ収納容器６００には、穴６０１が開設され、この穴６０１の内部には、開口６１４側がフランジ部５の端面９より突出したレンズ面７となるようにレンズ１を収納し、レンズ１のレンズ面７′と接触しないように開口６１４と反対側のレンズ１のフランジ部５の端面９′を支持する支持部６１５が形成された円筒状のレンズ収納部６１３が設けられている。
【０１４８】
レンズ収納部６１３には、レンズ１のフランジ部５に係脱可能で、支持部６１５とともにレンズ１のフランジ部の端面９,９′を挟む可撓性のスナップフィット部６２０が３つ設けられている。
【０１４９】
スナップフィット部６２０の自由端には、図１４に示すように、斜め上方に延出する羽部６２１が形成されている。
【０１５０】
さらに、レンズ収納容器６００の対向関係にある２つの側面には、他のレンズ収納容器と連結する第１の連結部６３０及び第２の連結部６３１が形成されている。
【０１５１】
第１の連結部６３０には、第２の連結部６３１に形成された円柱部６３１ａが嵌入可能な断面形状がC字形の溝６３０ａが形成されている。
【０１５２】
又、第１の連結部６３０と、第２の連結部６３１との連結時の横ズレを防止するために、第１の連結部６３０には第２の連結部６３１に形成された凹部６３１ｂに係合する凸部６３０ｂが形成されている。
【０１５３】
上記構成によれば、以下のような効果を得ることができる。
【０１５４】
▲１▼レンズ収納容器６００は、開口６１４側がフランジ部５の端面９より突出したレンズ面７となるようにレンズ１を収納する円筒状のレンズ収納部６１３を有することにより、すなわち、レンズ１を個別に収納することにより、レンズの搬送異常をなくすことができる。
【０１５５】
▲２▼レンズ収納部６１３に、開口６１４と反対側のレンズ１のフランジ部５の端面９′が当接する支持部６１５を形成し、レンズ収納部６１３の円筒面に設けられ、レンズ１のフランジ部５に係脱可能で、支持部６１５とともにレンズ１のフランジ部５の端面９,９′を挟む可撓性のスナップフィット部６２０を設けたことにより、レンズ１の光軸方向の移動を拘束し、レンズ面７が他の部材にあたり、傷つくこともなくなる。
【０１５６】
▲３▼他のレンズ収納容器と連結する連結部６３０,６３１を設けたことにより、連鎖状に連結し、それをリール等に巻回することで、レンズ組付け装置への装填が容易となる。
【０１５７】
▲４▼レンズ組付け装置で、レンズ収納部６１３からレンズ１を取り出す場合、スナップフィット部６２０の羽部６２１を図１３において矢印H方向に押して、スナップフィット部６２０のレンズ１への係合を解除し、同時に、レンズ１のフランジ部５の周縁を挟むことにより、容易にレンズ１を取り出すことができる。
【０１５８】
【発明の効果】
以上述べたように請求項１記載の発明によれば、レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【０１５９】
前記キャリアテープがフランジ部の一方の端面を支持する支持部を有し、前記カバーテープが前記レンズのフランジ部を前記支持部とともに挟むように、前記フランジ部の他方の端面と当接される当接部を有することにより、レンズの光軸方向の移動が拘束され、レンズ面が他の部材にあたり、傷つくこともなくなる。
【０１６０】
カバーテープが前記レンズ収納部を覆うようにすれば、一度に多くのレンズが劣悪な環境にされされることがなくなる。
【０１６１】
カバーテープに、前記レンズのレンズ面と空間を介して対抗するレンズ面逃げ部を設けたことにより、レンズのレンズ面が傷つくこともなくなる。
【０１６２】
請求項２記載の発明によれば、レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【０１６３】
前記キャリアテープがフランジ部の一方の端面を支持する支持部を有し、前記カバーテープが前記レンズのフランジ部を前記支持部とともに挟むように、前記レンズ収納部側へ突出し、前記フランジ部の他方の端面と当接される当接部を有することにより、レンズの光軸方向の移動が拘束され、レンズ面が他の部材にあたり、傷つくこともなくなる。
【０１６４】
カバーテープが前記レンズ収納部を覆うようにすれば、一度に多くのレンズが劣悪な環境にされされることがなくなる。
【０１６５】
請求項３記載の発明によれば、レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【０１６６】
キャリアテープのレンズ収納部は、フランジ部の一方の端面を支持する支持部、前記フランジ部を前記支持部とともに挟むように、前記フランジ部の他方の端面と係脱可能な可撓性のスナップフィット部を有することにより、レンズの光軸方向の移動が拘束され、レンズ面が他の部材にあたり、傷つくこともなくなる。
【０１６７】
カバーテープが前記レンズ収納部を覆うようにすれば、一度に多くのレンズが劣悪な環境にされされることがなくなる。
【０１６８】
請求項４記載の発明によれば、レンズを収納するレンズ収納部を複数有する長尺状のキャリアテープと、前記キャリアテープに貼着される長尺状のカバーテープとから構成したことにより、すなわち、テープ上にレンズを個別に収納することにより、レンズの搬送異常をなくすことができる。
【０１６９】
前記キャリアテープがフランジ部の一方の端面を支持する支持部を有し、カバーテープがレンズ収納部に収納されたレンズの前記フランジ部を前記支持部とともに挟むように、前記フランジ部の他方の端面と当接される当接部を有することにより、レンズの光軸方向の移動が拘束され、レンズ面が他の部材にあたり、傷つくこともなくなる。
【０１７０】
さらに、請求項４記載の発明によれば、前記カバーテープ上に、前記開口部を覆う第２のカバーテープを設けることにより、レンズのレンズ面を保護できる。
【０１７１】
請求項６記載の発明によれば、前記キャリアテープと前記カバーテープとの貼着は、間歇的であることにより、レンズ収納部への塵埃の侵入を防止しつつ、レンズ収納部と外気との環境を略同じとすることができ、カバーテープをキャリアテープから剥離するときの引き剥がし力を弱くすることができる。
【０１７２】
請求項７記載の発明によれば、前記スナップフィット部は、前記レンズ収納部の開口と略同じ位置まで延出する自由端を有し、該自由端と前記カバーテープが貼着されることにより、レンズのフランジ部に係合したスナップフィット部の係合力を保持できる。
【０１７３】
請求項８記載の発明によれば、前記キャリアテープと前記カバーテープとの内外径差を吸収する内外径差吸収手段を設けたことにより、キャリアテープをリール等に巻回することが可能となり、レンズ組付け装置への装填が容易となる。
【０１７４】
請求項９記載の発明によれば、スリットを設けた部分が、カバーテープの幅方向に伸縮することにより、巻回したときに生じる前記キャリアテープと前記カバーテープとの内外径差を吸収する。
【０１７５】
請求項１０記載の発明によれば、ギャザーを設けた部分が、カバーテープの幅方向に伸縮することにより、巻回したときに生じる前記キャリアテープと前記カバーテープとの内外径差を吸収する。
【０１７６】
請求項１１記載の発明によれば、レンズを収納するレンズ収納部を複数有する長尺状のキャリアテープと、前記各レンズ収納部に取り付けられ、前記各レンズ収納部の開口を覆うカバー部材とから構成したことにより、すなわち、テープ上にレンズを個別に収納することにより、レンズの搬送異常をなくすことができる。
【０１７７】
又、前記各レンズ収納部の内壁には、前記レンズのフランジ部に係脱可能な可撓性のスナップフィット部を設けて、前記支持部とともに前記レンズのフランジ部の端面を挟むことにより、レンズの光軸方向の移動を拘束し、レンズ面が他の部材にあたり、傷つくこともなくなる。
【０１７８】
さらに、各レンズ収納部に個別のカバー部材を取り付けたことにより、キャリアテープを巻回させた場合も、キャリアテープとカバー部材との内外径差が発生しない。
【０１７９】
ここで、カバー部材のキャリアテープのレンズ収納部への取付の例としては、請求項１２記載の発明のように、前記レンズ収納部の外壁と前記カバー部材とには、係脱可能な係合部を設けたことを特徴とするレンズ収納容器がある。
【０１８０】
請求項１３記載の発明によれば、前記カバー部材は、前記スナップフィット部の自由端に当接することにより、レンズのフランジ部に係合したスナップフィット部の係合力を保持できる。
【０１８１】
請求項１４記載の発明によれば、一方のレンズ面と接触しないように前記レンズのフランジ部の一方の端面を支持する支持部が形成された円筒状のレンズ収納部を有することにより、すなわち、レンズを個別に収納することにより、レンズの搬送異常をなくすことができる。
【０１８２】
レンズ収納部に、前記開口と反対側の前記レンズのフランジ部の端面が当接する支持部を形成し、前記レンズ収納部の円筒面に設けられ、レンズのフランジ部に係脱可能で、前記支持部とともに前記レンズのフランジ部の端面を挟む可撓性のスナップフィット部を設けたことにより、レンズの光軸方向の移動を拘束し、レンズ面が他の部材にあたり、傷つくこともなくなる。
【０１８３】
さらに、他のレンズ収納容器と連結する連結部を設けたことにより、連鎖状に連結し、それをリール等に巻回することで、レンズ組付け装置への装填が容易となる。
【図面の簡単な説明】
【図１】第１の実施の形態例を説明する平面図である。
【図２】図１の切断線A-Aにおける断面図である。
【図３】第１の実施の形態例の他の例を説明する図である。
【図４】第２の実施の形態例を説明する平面図である。
【図５】図４の切断線B-Bにおける断面図である。
【図６】第３の実施の形態例を説明する平面である。
【図７】図６の切断線C-Cにおける断面図である。
【図８】第４の実施の形態例を説明する平面図である。
【図９】図８の切断線E-Eにおける断面図である。
【図１０】第５の実施の形態例を説明する平面図である。
【図１１】図１０の切断線F-Fにおける断面図である。
【図１２】第６の実施の形態例を説明する平面図である。
【図１３】図１２の切断線G-Gにおける断面図である。
【図１４】図１２のスナップフィット部を説明する斜視図である。
【符号の説明】
１  レンズ
３  レンズ本体
５  フランジ部
９,９′  端面
１１  キャリアテープ
１３  レンズ収納部
１５  支持部
２１  カバーテープ
【図１】
0004613383.tif 000002
【図２】
0004613383.tif 000003
【図３】
0004613383.tif 000004
【図４】
0004613383.tif 000005
【図５】
0004613383.tif 000006
【図６】
0004613383.tif 000007
【図７】
0004613383.tif 000008
【図８】
0004613383.tif 000009
【図９】
0004613383.tif 000010
【図１０】
0004613383.tif 000011
【図１１】
0004613383.tif 000012
【図１２】
0004613383.tif 000013
【図１３】
0004613383.tif 000014
【図１４】
0004613383.tif 000015